(57)【特許請求の範囲】
【請求項１】
被検眼の眼底に照明光を照射する照明光学系と、前記被検眼の屈折度に応じて光軸方向に移動される合焦レンズを有しかつ前記被検眼の眼底からの反射光に基づく眼底像を撮像する撮像光学系とを備え、前記被検眼の屈折度数にかかわらず撮影倍率が略一定となるように光学設計されている眼底カメラにおいて、
前記撮像光学系により撮像された眼底像を記録する記録媒体と、前記合焦レンズの位置を検出する検出部と、該検出部の検出結果に基づき被検眼の屈折度数がマイナス方向に大きくなるに伴って前記記録媒体に記録される眼底像の記録倍率を大きくしかつ前記被検眼の屈折度数が０度以上のプラス方向では撮影倍率と同じ記録倍率で記録するように記録倍率を設定して画像処理を行う画像変倍処理部とを備えていることを特徴とする眼底カメラ。
【請求項２】
前記画像変倍処理部は、前記被検眼の屈折度数がマイナス方向に大きくなるに伴って前記記録媒体に記録される眼底像の記録倍率を大きくしかつ前記被検眼の屈折度数が０度以上のプラス方向では撮影倍率と同じ記録倍率で記録するように記録倍率を設定するためのテーブルを有することを特徴とする請求項１に記載の眼底カメラ。
【発明の詳細な説明】
【技術分野】
【０００１】
本発明は、被検眼が強度の近視の場合でもフレアが混入していない眼底像を記録媒体に記録可能な眼底カメラに関する。
【背景技術】
【０００２】
従来から、眼底カメラには、観察中の眼底像を画像処理により変倍して画面に表示させる構成のものが知られている（例えば、特許文献１参照。）。
【特許文献１】特開平５−１９２２９９号公報
【発明の開示】
【発明が解決しようとする課題】
【０００３】
ところで、眼底カメラには、被検眼の眼底に照明光を照射する照明光学系と、被検眼の屈折度に応じて光軸方向に移動される合焦レンズを有しかつ被検眼の眼底からの反射光に基づく眼底像を撮像する撮像光学系とを備え、被検眼の屈折度数にかかわらず撮影倍率が略一定となるように光学設計されているものがある。
【０００４】
この種の眼底カメラでは、被検眼の屈折度数がマイナス方向に大きいと、すなわち、近視の強度が大きな被検眼の場合、眼底像を撮影したときに、眼底像の周辺にフレアが混入するという問題がある。
【０００５】
この種の眼底カメラで、フレアが混入した眼底像をそのまま記録媒体に記録することにすると、装置そのものに起因する現象であるにもかかわらず、撮影ミスが生じたかのような印象を検者に与える不都合がある。
【０００６】
本発明は、上記の事情に鑑みて為されたもので、被検眼が強度の近視の場合でもフレアが混入していない眼底像を記録媒体に記録可能な眼底カメラを提供するところにある。
【課題を解決するための手段】
【０００７】
本願の請求項１に記載の眼底カメラは、被検眼の眼底に照明光を照射する照明光学系と、前記被検眼の屈折度に応じて光軸方向に移動される合焦レンズを有しかつ前記被検眼の眼底からの反射光に基づく眼底像を撮像する撮像光学系とを備え、前記被検眼の屈折度数にかかわらず撮影倍率が略一定となるように光学設計されている眼底カメラにおいて、
前記撮像光学系により撮像された眼底像を記録する記録媒体と、前記合焦レンズの位置を検出する検出部と、該検出部の検出結果に基づき被検眼の屈折度数がマイナス方向に大きくなるに伴って前記記録媒体に記録される眼底像の記録倍率を大きくしかつ前記被検眼の屈折度数が０度以上のプラス方向では撮影倍率と同じ記録倍率で記録するように記録倍率を設定して画像処理を行う画像変倍処理部とを備えていることを特徴とする。
【０００８】
本願の請求項２に記載の眼底カメラは、前記画像変倍処理部は、前記被検眼の屈折度数がマイナス方向に大きくなるに伴って前記記録媒体に記録される眼底像の記録倍率を大きくしかつ前記被検眼の屈折度数が０度以上のプラス方向では撮影倍率と同じ記録倍率で記録するように記録倍率を設定するためのテーブルを有することを特徴とする。
【発明の効果】
【０００９】
本願の請求項１、請求項２に係わる発明は、強度近視の被検眼の場合であっても、眼底像の周辺に混入したフレアを取り除いた眼底像を記録媒体に記録できる。また、被検眼が強度の近視でない場合には、被検眼の屈折度数が０度以上のプラス方向では撮影倍率と同じ記録倍率で記録するように記録倍率を設定できるので、従来の撮像光学系の倍率特性を損なうことなくフレアを除去できる。
【００１０】
更に、合焦レンズの位置情報と眼底像とを記録媒体に関連づけて記録し、モニタへの表示の際に合焦レンズの位置情報に基づいて変倍を行って眼底像を表示させる構成とすると、モニタへの表示用のソフトウエアが複雑化すると共に、記録媒体への記録情報が増大することになるが、この発明によれば、先に変倍を行って眼底像を記録媒体に記録する構成であるので、表示用のソフトウエアを変更することなく、かつ、記録媒体への記録情報の増加を伴うことなく、フレアが除去された眼底像をモニタに表示させることができる。
【発明を実施するための最良の形態】
【００１１】
以下、本発明に係わる眼底カメラの発明の実施の形態を図面を参照しつつ説明する。
【実施例】
【００１２】
図１は、本発明に係わる眼底カメラ１の概要を示す説明図である。この眼底カメラ１は、ベース２に装置本体部３が前後方向に摺動可能に設けられている。このベース２には、撮影スイッチ５を有するジョイスティック４が配設されている。
【００１３】
この装置本体部３には、観察光源としてのハロゲンランプ７、赤外フィルタ８、撮影光源としてのストロボ管９、有孔鏡１０が設けられている。このハロゲンランプ７、赤外フィルタ８、ストロボ管９、有孔鏡１０は被検眼６に向けて照明光を照射する照明光学系１Ａを構成している。
【００１４】
装置本体部３には被検眼６に対向する対物レンズ１１が設けられている。対物レンズ１１の光軸１２上には、結像レンズ１３、合焦レンズ１４、ビームスプリッタ１５、ＴＶリレーレンズ１６、撮像手段としてのＴＶカメラ１７が設けられている。
【００１５】
対物レンズ１１、結像レンズ１３、合焦レンズ１４、ＴＶリレーレンズ１６、ＴＶカメラ１７は撮像光学系１Ｂを構成している。この撮像光学系１Ｂは、被検眼の屈折度数にかかわらず撮影倍率が略一定となるように光学設計されている。
【００１６】
ビームスプリッタ１５の反射光軸上には、フィールドレンズ１８、反射ミラー１９、モニターレンズ２０、赤外ＴＶカメラ２１が配置されている。このビームスプリッタ１５、フィールドレンズ１８、反射ミラー１９、モニターレンズ２０は観察光学系１Ｃを構成している。
【００１７】
装置本体部３には、被検眼６の眼底６ｂに固視標を投影する固視標投影光学系３１、被検眼６の角膜６ａにアライメント指標光を投影するアライメント投影系３２が設けられている。
【００１８】
被検眼３は固視標を注視することにより装置本体部３に対して固定される。装置本体部３はアライメント指標投影光学系３２により被検眼６に対して上下左右前後方向の位置が適正にセットされる。
【００１９】
合焦レンズ１４は、被検眼６の屈折度数に応じて光軸方向に沿って可動される。装置本体部３には、その合焦レンズ１４の基準位置（被検眼６が正視眼（屈折度数が０）であるときにあるべき位置）からのずれ量を検出する検出部４０が設けられている。この検出部４０の出力とＴＶカメラ１７からの映像出力とは画像変倍処理部４１に入力されている。この画像変倍処理部４１には記録媒体４２が接続されている。
【００２０】
画像変倍処理部４１はテーブル４３を有する。このテーブル４３は、図２に示すように、被検眼６の屈折度数がマイナス方向に大きくなるに伴って撮影画角が小さくなり（被検眼６の屈折度数がマイナス方向に大きくなるに伴って記録媒体４２に記録される眼底像の倍率が大きくなり）、被検眼６の屈折度数が０度以上のプラス方向では撮影画角が一定値を維持するように記録媒体４２への眼底像Ｇの記録倍率（被検眼６の屈折度数が０度以上のプラス方向では撮影倍率と同じ記録倍率で記録するように記録倍率）が定められている。
【００２１】
ここで、記録倍率とは、撮影により得られた眼底像をそのまま記録媒体４２に記録したときの眼底像の大きさに対して画像変倍処理により記録媒体４２に記録されたときの眼底像の大きさの比をいう。
【００２２】
本発明の実施形態によれば、被検眼６が強度の近視の場合には、たとえ、ＴＶカメラ１７に撮像された眼底像の周辺部に、図３に示すような、フレア４４が混入していたとしても、画像変倍処理部４１が検出部４０の検出出力とテーブル４３とに基づいて撮影された眼底像Ｇを記録倍率が高くなる方向に変倍して、フレア４４が除去された眼底像Ｇを記録媒体４２に記録することになるので、この記録媒体４２に記録された眼底像Ｇをモニタ４５に再生表示したときに、図４に示すように、フレアが除去された眼底像Ｇを提供できる。
【００２３】
従って、眼底カメラそのものに起因するフレア現象が発生したにもかかわらず、撮影ミスが生じたかのような印象を検者に与える不都合を回避できる。
【００２４】
また、テーブル４３に基づいて、被検眼６の近視側では被検眼６の屈折度数に応じて連続的に滑らかに記録倍率を変化させるようにしたので、記録倍率の変化に伴う検者の違和感を解消できるという効果もある。
【００２５】
特に、被検眼の屈折度数が０以上のプラス方向では、撮影により得られた眼底像Ｇに対して記録媒体４２に記録されている眼底像Ｇの記録倍率を撮影倍率と同じ倍率で記録するように設定できるので、従来の撮像光学系の倍率特性を損なうことなくフレアを除去できる。
【００２６】
更に、合焦レンズ１４の位置情報と眼底像６とを記録媒体４２に関連づけて記録し、モニタ４５への表示の際に合焦レンズの位置情報に基づいて変倍を行って眼底像を表示させる構成とすると、モニタ４５への表示用のソフトウエアが複雑化すると共に、記録媒体４２への記録情報が増大することになるが、この発明によれば、先に変倍を行って眼底像６を記録媒体４２に記録する構成であるので、表示用のソフトウエアを変更することなく、かつ、記録媒体４２への記録情報の増加を伴うことなく、フレアが除去された眼底像６をモニタ４５に表示させることができる。
【図面の簡単な説明】
【００２７】
【図１】本発明に係わる眼底カメラの概要を示す図である。
【図２】本発明に係わるテーブルの一例を示す図であって、横軸を被検眼の屈折度数、縦軸を被検眼の画角で示した図である。
【図３】従来の眼底カメラにより得られる眼底像の一例を示す図である。
【図４】本発明に係わる眼底カメラにより得られる眼底像の一例を示す図である。
【符号の説明】
【００２８】
６  …被検眼
１Ｂ…撮像光学系
１４…合焦レンズ
４０…検出部
４１…画像変倍処理部
４２…記録媒体
【図１】
0004997083.tif 000002
【図２】
0004997083.tif 000003
【図３】
0004997083.tif 000004
【図４】
0004997083.tif 000005